(57)【特許請求の範囲】
【請求項１】
映像信号が入力される入力端子の電位をクランプするクランプ回路と、
前記入力端子より入力された映像信号および所定の基準電圧を入力とし、入力された映像信号を増幅して出力する差動増幅回路と、
前記クランプ回路に供給するバイアス電圧および前記差動増幅回路に供給する基準電圧もしくはその元となる電圧を生成する分圧回路と、
前記分圧回路により生成された前記バイアス電圧または前記基準電圧もしくはその元となる電圧に所定のオフセット電圧を付加または減算して前記クランプ回路または前記差動増幅回路に供給するオフセット回路と、を備えた映像信号出力回路であって、
前記オフセット回路は、ｐｎｐバイポーラトランジスタおよびｎｐｎバイポーラトランジスタを備え、前記２つのトランジスタのベース・エミッタ間電圧の差に応じた電圧を出力するように構成されていることを特徴とする映像信号出力回路。
【請求項２】
前記オフセット回路は、前記ｐｎｐバイポーラトランジスタと直列に接続された第１定電流源と、前記ｎｐｎバイポーラトランジスタと直列に接続された第２定電流源とを有し、前記第１定電流源により前記ｐｎｐバイポーラトランジスタに流す電流と前記第２定電流源により前記ｎｐｎバイポーラトランジスタに流す電流は、前記ｐｎｐバイポーラトランジスタのベース・エミッタ間電圧の温度特性と前記ｎｐｎバイポーラトランジスタのベース・エミッタ間電圧の温度特性とがほぼ同じになるように設定されていることを特徴とする請求項１に記載の映像信号出力回路。
【請求項３】
前記オフセット回路は、前記２つのトランジスタのベース・エミッタ間電圧の差電圧と、該オフセット回路に入力される前記バイアス電圧または前記基準電圧の元となる電圧と、を入力とする第２の差動増幅回路を備えていることを特徴とする請求項１または２に記載の映像信号出力回路。
【請求項４】
前記オフセット回路は前記分圧回路と前記差動増幅回路との間に設けられ、前記分圧回路により生成された前記バイアス電圧が前記クランプ回路へ供給され、前記分圧回路により生成された前記基準電圧の元となる電圧が前記オフセット回路へ供給され、オフセット電圧が付加された電圧が前記差動増幅回路へ供給されるように構成されていることを特徴とする請求項３に記載の映像信号出力回路。
【請求項５】
前記オフセット回路は前記分圧回路と前記クランプ回路との間に設けられ、前記分圧回路と前記差動増幅回路との間には前記基準電圧をインピーダンス変換して伝達するバッファが設けられていることを特徴とする請求項１〜３に記載の映像信号出力回路。
【発明の詳細な説明】
【技術分野】
【０００１】
本発明は、映像信号を増幅して出力する映像信号出力回路に関し、特に出力カップリングコンデンサが不要な片電源映像ドライバに利用して有効な技術に関する。
【背景技術】
【０００２】
デジタルスチルカメラやＤＶＤプレーヤなどの電子機器には、外部の液晶表示パネルなどの表示装置へ映像信号を出力する端子が設けられており、該端子へ映像信号を出力するデバイス（ＩＣ）として映像ドライバがある。近年においては、機器の小型化を可能にするため、出力カップリングコンデンサが不要な片電源映像ドライバが実用化されている。ＪＥＩＴＡ（電子情報技術産業協会）の規格では、映像機器から出力する映像信号に関して、無信号時のＤＣ電圧は±１００ｍＶ（７５Ω終端時）と規定されている。従って、片電源映像ドライバにあっては、無信号時の出力端子のＤＣ電圧を０〜２００ｍＶの範囲にキープする必要がある。
【先行技術文献】
【特許文献】
【０００３】
【特許文献１】特開昭６２−１８６６７４号公報
【特許文献２】特開平７−１８３８１０号公報
【発明の概要】
【発明が解決しようとする課題】
【０００４】
上記のような条件を満たす映像ドライバとして、本出願人は、図８に示すように、入力端子ＩＮより入力された映像信号を所定の振幅範囲で増幅する非反転増幅器ＡＭＰや、映像信号に含まれる水平同期信号のシンクチップレベルを一定にするためのクランプ回路ＣＬＰ、増幅器ＡＭＰの動作点を与える基準電圧Ｖrefおよびクランプ回路ＣＬＰのバイアス電圧Ｖbiasを生成する抵抗分圧回路ＤＩＶ、インピーダンス変換用のバッファＢＵＦ、ローパスフィルタ（図示略）などを備えた映像ドライバを開発した。なお、映像信号出力回路において、クランプ回路を使用して映像信号を所定の電位に固定する方法は従来より知られており、例えば特許文献１や特許文献２に開示されているものがある。
【０００５】
図８に示す映像ドライバは、抵抗分圧回路ＤＩＶを構成する抵抗Ｒ１，Ｒ２の抵抗比によって得られる電圧Ｖbiasを所望のオフセット電圧（ここでは、０〜２００ｍＶの中心の１００ｍＶ）分だけずらすように、Ｒ１，Ｒ２の抵抗値をＲ１−Ｒoff，Ｒ２＋Ｒoffに設定することによって、無信号時のＤＣ電圧を、１００ｍＶを中心に±１００ｍＶのような範囲にキープすることができる。なお、Ｒ１をＲ１−Ｒoffに変更するのは、ＶbiasのみずらしＶrefはずらさないようにするためである。
【０００６】
図８の映像ドライバは、抵抗ＲｓとＲｆの比によって増幅器ＡＭＰのゲインが決定されるが、Ｒ１：Ｒ２＝Ｒｓ：Ｒｆのように設定することで、各抵抗の抵抗値が製造ばらつきで所望の値からずれたとしても、抵抗比はほとんどずれないとともに抵抗Ｒ１とＲ２の比がずれると抵抗ＲｓとＲｆの比も同じようにずれることによって、製造ばらつきで出力ＤＣレベルがずれるのを回避することができるという利点がある。
【０００７】
しかしながら、図８に示す映像ドライバにあっては、電源電圧Ｖccが変動した場合や、周囲温度が変化して素子の定数が変動した場合に、出力ＤＣレベルがずれてしまうのを回避することができない。また、図８の回路は電源電圧の変動に弱いため、製品として動作電源電圧範囲が狭くなるとともに、電源リップルリジェクション特性が悪いという課題がある。映像信号出力端子の他に音声信号出力端子を備えるＤＶＤプレーヤなどでは、音声信号を出力するドライバの電源電圧として映像ドライバの３．３Ｖや５Ｖのような電源電圧よりも高い１２Ｖの電圧が使用されるため、電源電圧の切り替えにより電源電圧が大きく変化する場合があり、電源リップルリジェクション特性が悪い図８の回路をかかる映像機器に使用するのはあまり望ましいとはいえない。
【０００８】
本発明は、上記のような事情に鑑みなされたもので、製造ばらつきはもちろん、電源電圧が変動したり、周囲温度が変動したりしても、出力ＤＣレベルがずれるのを回避することができるとともに、動作電源電圧範囲が広く電源リップルリジェクション特性の優れた映像信号出力回路を提供することを目的とする。
【課題を解決するための手段】
【０００９】
上記目的を達成するため本発明は、
映像信号が入力される入力端子の電位をクランプするクランプ回路と、
前記入力端子より入力された映像信号および所定の基準電圧を入力とし、入力された映像信号を増幅して出力する差動増幅回路と、
前記クランプ回路に供給するバイアス電圧および前記差動増幅回路に供給する基準電圧もしくはその元となる電圧を生成する分圧回路と、
前記分圧回路により生成された前記バイアス電圧または前記基準電圧もしくはその元となる電圧に所定のオフセット電圧を付加または減算して前記クランプ回路または前記差動増幅回路に供給するオフセット回路と、を備えた映像信号出力回路であって、
前記オフセット回路は、ｐｎｐバイポーラトランジスタおよびｎｐｎバイポーラトランジスタを備え、前記２つのトランジスタのベース・エミッタ間電圧の差に応じた電圧を出力するように構成した。
【００１０】
上記した手段によれば、オフセット回路によりオフセット電圧が付加または減算されたバイアス電圧または基準電圧がクランプ回路または差動増幅回路に供給されるため、バイアス電圧および基準電圧を生成する分圧回路を構成する抵抗の比と、映像信号を増幅する差動増幅回路の入力抵抗と帰還抵抗の比を対応させるように設定することによって、出力電圧の電源電圧依存性を低減させ、電源リップルリジェクション特性を高めることができる。
【００１１】
また、望ましくは、前記オフセット回路は、前記ｐｎｐバイポーラトランジスタと直列に接続された第１定電流源と、前記ｎｐｎバイポーラトランジスタと直列に接続された第２定電流源とを有し、前記第１定電流源により前記ｐｎｐバイポーラトランジスタに流す電流と前記第２定電流源により前記ｎｐｎバイポーラトランジスタに流す電流は、前記ｐｎｐバイポーラトランジスタのベース・エミッタ間電圧の温度特性と前記ｎｐｎバイポーラトランジスタのベース・エミッタ間電圧の温度特性とがほぼ同じになるように設定されるように構成する。
これにより、オフセット回路により生成される電圧が温度依存性を持たないようにすることができ、出力電圧の温度依存性を低減することができる。
【００１２】
さらに、望ましくは、前記オフセット回路は、前記２つのトランジスタのベース・エミッタ間電圧の差電圧と、該オフセット回路に入力される前記バイアス電圧または前記基準電圧の元となる電圧と、を入力とする第２の差動増幅回路を備えるように構成する。
これにより、ｐｎｐとｎｐｎの２つのトランジスタのベース・エミッタ間電圧の差が所望のオフセット電圧と一致していなくても、第２の差動増幅回路により電位差を増幅することによって所望のオフセット電圧を生成することができるようになる。
【００１３】
さらに、前記オフセット回路は前記分圧回路と前記差動増幅回路との間に設けられ、前記分圧回路により生成された前記バイアス電圧が前記クランプ回路へ供給され、前記分圧回路により生成された前記基準電圧の元となる電圧が前記オフセット回路へ供給され、オフセット電圧が付加された電圧が前記差動増幅回路へ供給されるように構成する。
これにより、第２の差動増幅回路が、分圧回路と差動増幅回路へ供給される基準電圧をインピーダンス変換する回路としても動作し、バッファを設ける必要がないようにすることができるようになる。
【００１４】
また、前記オフセット回路は前記分圧回路と前記クランプ回路との間に設けられ、前記分圧回路と前記差動増幅回路との間には前記基準電圧をインピーダンス変換して伝達するバッファが設けられるように構成する。
基準電圧をインピーダンス変換して伝達するバッファを設けることにより、オフセット回路を分圧回路とクランプ回路との間に設けるようにした場合にも、分圧回路により生成された基準電圧がずれるのを防止し、出力電圧の電源電圧依存性を低減させることができる。
【発明の効果】
【００１５】
本発明によれば、製造ばらつきはもちろん、電源電圧が変動したり、周囲温度が変動したりしても、出力ＤＣレベルがずれるのを回避することができる映像信号出力回路を提供することができる。また、動作電源電圧範囲が広く電源リップルリジェクション特性に優れた映像信号出力回路を提供できるという効果がある。
【図面の簡単な説明】
【００１６】
【図１】本発明を適用した映像信号出力回路としての映像ドライバの一実施形態を示す回路構成図である。
【図２】実施形態の映像ドライバを構成するオフセット回路の具体例を示す回路図である。
【図３】ｎｐｎバイポーラトランジスタとｐｎｐバイポーラトランジスタのベース・エミッタ間電圧Ｖｆの温度特性を示すグラフである。
【図４】実施形態の映像ドライバを構成するクランプ回路の具体例を示す回路図である。
【図５】実施形態の映像ドライバの第１の変形例を示す回路構成図である。
【図６】実施形態の映像ドライバを構成するオフセット回路の第２の変形例を示す回路構成図である。
【図７】実施形態の映像ドライバを構成する抵抗分圧回路の変形例を示す回路構成図である。
【図８】従来型の映像ドライバの一例を示す回路構成図である。
【発明を実施するための形態】
【００１７】
以下、図面を用いて本発明の実施形態について説明する。
図１は、本発明を適用した映像ドライバの一実施形態を示す。なお、特に限定されるわけではないが、図１に示されている回路を構成する素子は１個の半導体チップ上に形成され、半導体集積回路（ＩＣ）として構成される。
【００１８】
図１に示すように、本実施形態の映像ドライバは、入力端子ＩＮより入力された映像信号を所定の振幅範囲で増幅する非反転増幅器ＡＭＰ１、映像信号に含まれる水平同期信号のシンクチップレベルを一定にするためのクランプ回路ＣＬＰ、増幅器ＡＭＰ１の基準電圧Ｖrefおよびクランプ回路ＣＬＰのバイアス電圧Ｖbiasを与える抵抗分圧回路ＤＩＶ、抵抗分圧回路ＤＩＶにより生成される非反転増幅器ＡＭＰ１の基準電圧Ｖrefをインピーダンス変換して非反転増幅器ＡＭＰ１へ供給するボルテージフォロワなどからなるバッファＢＵＦ、抵抗分圧回路ＤＩＶにより生成されるクランプ回路ＣＬＰのバイアス電圧ＶbiasにオフセットＶoffを付加してクランプ回路ＣＬＰへ供給するオフセット回路ＯＦＦなどを備える。
【００１９】
抵抗分圧回路ＤＩＶは、電源電圧端子ＶＣＣと接地点との間に直列に接続された抵抗Ｒ０，Ｒ１，Ｒ２からなり、Ｒ０とＲ１との接続ノードＮ０に基準電圧Ｖrefを、また、Ｒ１とＲ２との接続ノードＮ１にバイアス電圧Ｖbiasを発生するように、抵抗比が設定されている。基準電圧Ｖrefは入力端子ＩＮに映像信号が入力され非反転増幅器ＡＭＰ１が増幅動作する際の基準となるレベルを与え、バイアス電圧Ｖbiasはクランプ回路ＣＬＰが入力端子ＩＮのシンクチップレベルを所定の電位にクランプするためのバイアスを与える。
本実施形態の映像ドライバは、図８の従来型回路に対してオフセット回路ＯＦＦを追加することにより、抵抗分圧回路ＤＩＶの抵抗Ｒ１，Ｒ２の抵抗値をずらすことなく、無信号時の出力端子のＤＣ電圧を、０〜２００ｍＶの中心の１００ｍＶに容易に設定することが可能となる。また、抵抗値の設定によって電源電圧依存性を低減することができる。なお、図示しないが、入力端子ＩＮの前段あるいは入力端子ＩＮと出力端子ＯＵＴとの間には、ＤＡＣのサンプリングノイズ等を除去するローパスフィルタを設けても良い。
【００２０】
ここで、図１の映像ドライバにおけるオフセット回路ＯＦＦの機能と必要な特性について説明する。図１の抵抗分圧回路ＤＩＶに着目すると、抵抗Ｒ０とＲ１との接続ノードＮ０の電位Ｖrefは式（１）により、また、抵抗Ｒ１とＲ２との接続ノードＮ１の電位Ｖbiasは式（２）により、それぞれ表わされる。
【数１】
0005578048.tif 000002
【数２】
0005578048.tif 000003
【００２１】
さらに、クランプ回路ＣＬＰの出力電圧Ｖclampは、式（３）のように、Ｖclamp＝Ｖbias＋Ｖoffで表わされる。また、非反転増幅器ＡＭＰ１の入力電圧ＶREFは、ＶREF＝Ｖrefである。よって、非反転増幅器ＡＭＰ１の利得（ゲイン）をＡｖとすると、映像ドライバの出力Ｖoutは式（４）で表わされる。
【数３】
0005578048.tif 000004
【数４】
0005578048.tif 000005
【００２２】
また、ゲインＡｖは、式（５）のようにＡｖ＝（Ｒｓ＋Ｒｆ）／Ｒｓで表わされる。式（５）に式（１）〜（４）を代入すると、式（５）は式（６）のように変形される。
【数５】
0005578048.tif 000006
【数６】
0005578048.tif 000007
【００２３】
この式（６）より、映像ドライバの出力Ｖoutが電源電圧依存性を持たないためには、式（６）の第１項が「０」、すなわち式（７）が成立すればよい。
【数７】
0005578048.tif 000008
【００２４】
また、式（６）を整理すると、式（８）のようになる。
【数８】
0005578048.tif 000009
これより、この式（８）よりＶccの項をなくすには、Ｒｓ・Ｒ２−Ｒｆ・Ｒ１＝０すなわちＲ１：Ｒ２＝Ｒｓ：Ｒｆであればよいことが分かる。この条件を満たすように、抵抗Ｒ１，Ｒ２，Ｒｓ，Ｒｆの値を決定すると、式（６）は式（９）のようになる。
【数９】
0005578048.tif 000010
【００２５】
従って、式（９）より、オフセット回路ＯＦＦによって付加されるオフセット電圧Ｖoffが、電源電圧依存性および温度依存性を持たなければ映像ドライバの出力Ｖoutが電源電圧依存性および温度依存性を持たないようにすることができることが分かる。なお、映像信号の無信号時のＤＣ電圧すなわちドライバの出力Ｖoutを、０〜２００ｍＶの中心の１００ｍＶに設定するためには、非反転増幅器ＡＭＰ１の増幅度を「２」（利得＝６ｄＢ）とすると、オフセット電圧Ｖoffは５０ｍＶに設定すれば良いこととなる。
【００２６】
図２は上記オフセット回路ＯＦＦの具体的な回路例を示す。この実施例のオフセット回路ＯＦＦは、電源電圧端子ＶＣＣと接地点との間に直列に接続された定電流源ＣＳ１およびコレクタ接地のｐｎｐバイポーラトランジスタＱ１と、同じく電源電圧端子ＶＣＣと接地点との間に直列に接続されたコレクタ接地のｎｐｎバイポーラトランジスタＱ２および定電流源ＣＳ２と、入力抵抗Ｒｏｓおよび帰還抵抗Ｒｏｆを有する反転増幅器ＡＭＰ２とを備える。
【００２７】
そして、ｐｎｐバイポーラトランジスタＱ１のベース端子は、抵抗分圧回路ＤＩＶの抵抗Ｒ１とＲ２との接続ノードＮ１に接続され、該トランジスタＱ１のエミッタ端子にｎｐｎバイポーラトランジスタＱ２のベース端子が接続され、定電流源ＣＳ１およびトランジスタＱ１とトランジスタＱ２および定電流源ＣＳ２は、各々エミッタフォロワを構成している。また、ｎｐｎバイポーラトランジスタＱ２のエミッタ端子に入力抵抗Ｒｏｓを介して反転増幅器ＡＭＰ２の反転入力端子が接続され、反転増幅器ＡＭＰ２の非反転入力端子には抵抗分圧回路ＤＩＶの抵抗Ｒ１とＲ２との接続ノードＮ１の電位Ｖbiasが印加されている。
【００２８】
現在の一般的な半導体プロセスでは、ｎｐｎバイポーラトランジスタのエミッタおよびベース領域と、ｐｎｐバイポーラトランジスタのエミッタおよびベース領域として使用する拡散層は、それぞれ別の工程で形成されるため不純物濃度が異なり、ｎｐｎバイポーラトランジスタのベース・エミッタ間電圧Ｖｆnpn（ＰＮ接合の順方向電圧に相当）と、ｐｎｐバイポーラトランジスタのベース・エミッタ間電圧Ｖｆpnpに差が生じる。本実施例のオフセット回路は、このベース・エミッタ間電圧の差を利用してオフセット電圧Ｖoffを生成するようにしたものである。さらに、ｎｐｎとｐｎｐのトランジスタのベース・エミッタ間電圧の差は比較的小さいので、所望の値（５０ｍＶ）にするため反転増幅器ＡＭＰ２を設けている。
【００２９】
ここで、反転増幅器ＡＭＰ２の利得をＡｖ２、入力抵抗をＲｏｓ、帰還抵抗をＲｏｆとすると、Ａｖ２＝（Ｒｏｓ＋Ｒｏｆ）／Ｒｏｓであるので、図２のオフセット回路により生成されるオフセット電圧Ｖoffは、式（１０）のように表わされる。
【数１０】
0005578048.tif 000011
式（１０）より、Ｖoffは電源電圧依存性を持たないことが分かる。また、ベース・エミッタ間電圧Ｖｆpnp，Ｖｆnpnは各トランジスタに流れるコレクタ電流によって変わり、図３に示すように、ＶｆnpnとＶｆpnpは異なる温度特性を有する。そこで、定電流源ＣＳ１および定電流源ＣＳ２に流れる電流Ｉ１，Ｉ２を、Ｖｆnpnの温度特性とＶｆpnpの温度特性が相殺しあって、（Ｖｆpnp−Ｖｆnpn）の値が温度特性を持たないように設定することによって、Ｖoffが温度依存性を持たないようにすることができる。
【００３０】
具体的には、Ｖｆnpnの特性の中から例えば−２ｍＶ／℃のもの（コレクタ電流＝Ｉｃ３）を選択した場合には、Ｖｆpnpの特性の中から同じく−２ｍＶ／℃のもの（コレクタ電流＝Ｉｃ２’）を選択して、それぞれのコレクタＩｃ３，Ｉｃ２’を、図２の定電流源ＣＳ１とＣＳ２の電流値として設定し、そのような定電流が流れるように回路設計を行う。このような設計を行うことによって、オフセット回路ＯＦＦにより付加されるオフセット電圧Ｖoffが温度依存性を持たないようにすることができる。
【００３１】
上記実施形態の映像ドライバは、抵抗分圧回路ＤＩＶおよび非反転増幅器ＡＭＰ１の構成は図８の従来型回路と同じであるため、従来型回路と同様に製造ばらつきによる影響を受けにくい上、上述したような定電流源ＣＳ１，ＣＳ２の電流値の設定を行うことで、温度依存性を持たないようにすることができるため、周囲温度の広い範囲での変動に対して安定した動作が可能であるとともに、前述したように電源電圧依存性が低いため動作電源電圧範囲が広くかつ良好な電源リップルリジェクション特性を有するという利点がある。なお、クランプ回路ＣＬＰの具体的な回路としては、図４（Ａ）に示すようなトランジスタ１つの回路や図４（Ｂ）に示すような差動型の回路が考えられる。
【００３２】
図４（Ａ）のクランプ回路のトランジスタＱ０や、図４（Ｂ）に示すクランプ回路のトランジスタＱ５は、入力端子ＩＮに有意な映像信号が入って来ると、入力端子ＩＮの電位が高くなることによってオフ状態となり、クランプ回路は出力ハイインピーダンス状態となる。そして、映像信号の水平同期パルスが入ると、Ｑ０またはＱ５がオンして入力端子ＩＮの電位をシンクチップレベルにクランプする。つまり、図４（Ａ）、（Ｂ）のクランプ回路は、水平同期パルスの期間だけクランプ動作をする。なお、クランプ回路は、図４（Ａ）、（Ｂ）のような回路に限定されるものではない。
【００３３】
（変形例１）
図５には、上記実施形態の映像ドライバの第１の変形例が示されている。この変形例は、オフセット回路ＯＦＦを、クランプ回路ＣＬＰの前段ではなく非反転増幅器ＡＭＰ１のＶrefが印加される反転入力端子側に設けるとともに、オフセット回路ＯＦＦによりＶrefに対してマイナスのオフセット電圧−Ｖoffを付加するようにしたものである。マイナスのオフセット電圧−Ｖoffを発生するため、図５のオフセット回路ＯＦＦにおいては、ｐｎｐトランジスタＱ１とｎｐｎトランジスタＱ２のＶｆの差が、図２の場合と逆になっている。この変形例の映像ドライバも従来型回路に対して上記実施形態の映像ドライバと同様な利点を有する。
【００３４】
また、この変形例においては、ｐｎｐトランジスタＱ１とｎｐｎトランジスタＱ２の配置を変えてＱ２のエミッタフォロワをＱ１のエミッタフォロワの前段に設けることにより、電源電圧Ｖccが低くなっても定電流源ＣＳ１の動作電圧を確保できるように工夫されている。さらに、図５の映像ドライバにおいては、図１のバッファＢＵＦの機能を、オフセット回路ＯＦＦを構成する反転増幅器ＡＭＰ２で代用することができるため、バッファＢＵＦを省略している。なお、反転増幅器ＡＭＰ２を非反転増幅器に置き換えることも可能である。
【００３５】
（変形例２）
図６（Ａ），（Ｂ）には、上記実施形態の映像ドライバを構成するオフセット回路の第２の変形例が示されている。この変形例は、ｐｎｐトランジスタＱ１とｎｐｎトランジスタＱ２のＶｆの差（Ｖｆpnp−Ｖｆnpn）が増幅をしなくても所望のオフセット電圧Ｖoffとなる場合に、図２や図５の映像ドライバにおける反転増幅器ＡＭＰ２を省略したものである。これにより、アンプの数を１つ減らすことができるため、チップサイズを低減できるとともに、アンプ自身が有する入力オフセット電圧の影響を減らすことができるため、出力ＤＣ電圧の製造ばらつきを小さくできるという利点がある。
【００３６】
また、Ｖｆの差（Ｖｆpnp−Ｖｆnpn）が所望のオフセット電圧Ｖoffとなるように、ｐｎｐとｎｐｎのトランジスタのベース領域、エミッタ領域となる拡散層の濃度を積極的に調整して、本変形例を適用できるようにしてもよい。なお、図５の映像ドライバを構成するオフセット回路を変形した図６（Ｂ）の変形例は、反転増幅器ＡＭＰ２を省略したことによりオフセット回路ＯＦＦの後段にバッファＢＵＦが必要になるため、チップサイズの低減というメリットは得られないが、出力ＤＣ電圧の製造ばらつきを小さくできる。
【００３７】
（変形例３）
図７（Ａ）〜（Ｄ）には、上記実施形態の映像ドライバを構成する抵抗分圧回路ＤＩＶの変形例が示されている。このうち図７（Ａ）の変形例の抵抗分圧回路ＤＩＶは、抵抗Ｒ０を定電流源ＣＳ０に置き換えたもの、図７（Ｂ）〜（Ｄ）の変形例は抵抗Ｒ０を定電流源ＣＳ０に置き換えかつ抵抗Ｒ１，Ｒ２をダイオードに置き換えたものである
なお、最終段のアンプである非反転増幅器ＡＭＰ１の利得を６ｄＢ（２倍）に設定する場合には、図７（Ｂ），（Ｃ）のように、ノードＮ０−Ｎ１間のダイオードの数とノードＮ１と接地点との間のダイオードの数を１：１とし、最終段のアンプである非反転増幅器ＡＭＰ１の利得を１２ｄＢ（３倍）に設定する場合には、図７（Ｄ）のように、ノードＮ０−Ｎ１間のダイオードの数とノードＮ１と接地点との間のダイオードの数を１：３のように設定すれば良い。
【００３８】
以上本発明者によってなされた発明を実施形態に基づき具体的に説明したが、本発明は前記実施形態に限定されるものではなく、本発明の技術的思想の範囲内で種々の変形例が含まれる。
また、前記実施形態では、本発明を映像ドライバに適用したものを説明したが、本発明は、所望のオフセット電圧を付与したい回路を内蔵する半導体集積回路に広く利用することができる。
【符号の説明】
【００３９】
ＡＭＰ１  非反転増幅器
ＤＩＶ  抵抗分圧回路
ＣＬＰ  クランプ回路
ＯＦＦ  オフセット回路
ＢＵＦ  バッファ
【図１】
0005578048.tif 000012
【図２】
0005578048.tif 000013
【図３】
0005578048.tif 000014
【図４】
0005578048.tif 000015
【図５】
0005578048.tif 000016
【図６】
0005578048.tif 000017
【図７】
0005578048.tif 000018
【図８】
0005578048.tif 000019